(57)【要約】      （修正有）【課題】ボルト又はナットで固定した物品の盗難を、容易かつ低コストで防止できないようにする。【解決手段】被固定物体６には雌ねじ６ａが穿孔され、物品７にはボルト孔７ａが貫通されている。物品７を、雌ねじ６ａとボルト孔７ａの位置が合うように被固定物体６の上に載せ、ボルト５をボルト孔７ａから挿入して雌ねじ６ａに螺着し、物品７を被固定物体６に固定する。次に、盗難防止具１をボルト頭部５ａに被せる。下方の導入部３の内径がボルト頭部５ａの外径よりも大きいので、導入部３まではボルト頭部５ａの上部を盗難防止具１の中に容易に導入することができる。盗難防止具１の上面をハンマーなどで叩くと、ボルト頭部５ａよりも小さな内径の嵌合部２が樹脂の弾性により広がり、ボルト頭部５ａが嵌合部２に押し込まれ、盗難防止具１の装着が完了する。これにより、いかなる工具を用いてもボルト５を回転させることができず、物品７の盗難が防止される。【選択図】図２
2012241340.tif 000002
【特許請求の範囲】
【請求項１】
ボルト頭部又はナットの外周に装着して、ボルト又はナットで固定した物品の盗難を防止するボルト又はナット固定物品の盗難防止具であって、
樹脂製の筒状をなし、
内周部に水平断面が六角形状をなしボルト頭部又はナットの外周と嵌合する嵌合部を有することを特徴とする盗難防止具。
【請求項２】
水平断面の外周形状が円形である請求項１に記載の盗難防止具。
【請求項３】
前記嵌合部の内径が、前記ボルト頭部又はナットの径よりも０〜０．５ｍｍ小さく、該嵌合部の下方に、前記ボルト頭部又はナットの径よりも大きな内径を有する導入部が形成されている請求項１又は２に記載の盗難防止具。
【請求項４】
上端が天板により閉塞されている請求項１〜３のいずれかに記載の盗難防止具。
【請求項５】
物品にボルト孔を形成し、被固定物体に雌ねじを形成し、前記ボルト孔から挿入したボルトを前記雌ねじに螺着して物品を被固定物体に固定する物品の固定方法であって、前記ボルト孔の周囲にボルト頭部が収納される凹部を形成し、該凹部内のボルト頭部に対して、前記請求項１〜４のいずれかに記載の盗難防止具を装着することを特徴とするボルト固定物品の盗難防止方法。
【請求項６】
物品にボルト孔を形成し、被固定物体にボルトを突設し、前記ボルト孔に前記ボルトを挿入した後該ボルトにナットを螺着して物品を被固定物体に固定する物品の固定方法であって、前記ボルト孔の周囲にナットが収納される凹部を形成し、該凹部内のナットに対して、前記請求項１〜４のいずれかに記載の盗難防止具を装着することを特徴とするナット固定物品の盗難防止方法。
【請求項７】
前記被固定物体が溝状又は箱状構造物であり、前記物品が蓋である請求項５又は６に記載の物品の盗難防止方法。
【発明の詳細な説明】
【技術分野】
【０００１】
本発明は、ボルト又はナットで固定した物品の盗難を防止するための盗難防止具、及び、被固定物体に対しボルト又はナットで固定した物品の盗難防止方法に関する。
【背景技術】
【０００２】
例えば、道路の側溝などの溝状構造物や、雨水桝・集水桝などの箱状構造物には金属製の蓋（いわゆるグレーチングや鋳鉄製蓋）がボルト又はナットにより固定される場合が多い。しかし、金属製の蓋は比較的高価で換金しやすいこともあり、盗難の被害が後を絶たない。このような、ボルト又はナットで固定された金属製蓋の盗難を防止する技術が、例えば下記特許文献１に開示されている。
【０００３】
下記特許文献１に開示されている技術は、金属製蓋を固定するボルト頭部又はナットの形状を異形にし、この異形の形状に嵌合する専用の治具のみによってボルト又はナットの取り付け、取り外しが可能となるようにして、盗難を防止するものである。
【先行技術文献】
【特許文献】
【０００４】
【特許文献１】特開２００９−９７３１１号公報
【発明の概要】
【発明が解決しようとする課題】
【０００５】
前記の、ボルト頭部又はナットの形状を異形にし、この異形の形状に嵌合する専用の治具のみによってボルト又はナットの取り付け、取り外しが可能となるようにする技術は、特殊形状のボルト又はナットを製造しなければならないのでコスト高となり、しかも、盗人がボルト頭部又はナットの形状に嵌合する治具を入手することで、きわめて容易にボルト又はナットを取り外すことができるという問題点を有する。
【０００６】
本発明は、ボルト又はナットで固定した物品の盗難を、容易かつ低コストで防止でき、しかも、ボルトと又はナットの取り外しが容易にできないようにすることを課題とするものである。
【課題を解決するための手段】
【０００７】
〔請求項１〕
本発明は、ボルト頭部又はナットの外周に装着して、ボルト又はナットで固定した物品の盗難を防止するボルト又はナット固定物品の盗難防止具であって、
樹脂製の筒状をなし、
内周部に水平断面が六角形状をなしボルト頭部又はナットの外周と嵌合する嵌合部を有することを特徴とする盗難防止具である。
【０００８】
この盗難防止具は、後述するように、凹部に収納されているボルト頭部又はナットに装着することで、凹部内周と盗難防止具外周の隙間が小さくなり、回転治具でボルト／ナットを回転できなくなるようにすることができる。したがって、盗難防止具の平面形状（水平断面の外周形状）は、凹部の平面形状よりもやや小さい相似形が最も好ましいが、これに限るものではない。凹部内周と盗難防止具外周の隙間は、盗難防止具が凹部内で１回転できなければ良く、通常は０〜１０ｍｍ程度になるようにすることが望ましい。
【０００９】
〔請求項２〕
また本発明は、水平断面の外周形状が円形である請求項１に記載の盗難防止具である。
【００１０】
この盗難防止具は、外周面が円筒形であるため、これをボルト頭部又はナットの外周部に装着することで、どのような治具を用いてもボルト又はナットを回転することが困難になる。したがって、この盗難防止具は、ボルト又はナットが凹部に収納されていない場合でも盗難を防止できる。ボルト又はナットを回転させて物品を盗難するには、盗難防止具を外すか破壊しなければならず、そのためには相当の労力と時間を必要とするので、盗難防止効果がある。また、この盗難防止具は筒状をした樹脂製であるため、容易かつ安価に製造することができる。
樹脂の種類は、ポリエチレン、ポリプロピレン、ＡＢＳ樹脂、ＡＥＳ樹脂、ナイロンなど任意である。
【００１１】
〔請求項３〕
また本発明は、前記嵌合部の内径が、前記ボルト頭部又はナットの径よりも０〜０．５ｍｍ小さく、該嵌合部の下方に、前記ボルト頭部又はナットの径よりも大きな内径を有する導入部が形成されている請求項１又は２に記載の盗難防止具である。
【００１２】
嵌合部の内径を、ボルト頭部又はナットの径と同じか、若干（０．５ｍｍ以下程度）小さくすることで、嵌合部が樹脂の弾性によりボルト頭部又はナットに強固に嵌合し、盗難防止具を容易に外せなくなる。また、嵌合部の下方に、ボルト頭部又はナットの径よりも大きな内径を有する導入部を設けると、導入部がボルト頭部又はナットの上部に嵌合するように盗難防止具をボルト頭部又はナットの上に載せ、その後ハンマーなどで盗難防止具を叩きつけることで、盗難防止具を容易に装着することができる。
【００１３】
〔請求項４〕
また本発明は、上端が天板により閉塞されている請求項１〜３のいずれかに記載の盗難防止具である。
【００１４】
盗難防止具の上端が天板により閉塞されていると、固定手段であるボルト又はナットが隠されるため、どのような固定手段を用いているのか分かりにくくなり、盗難を防ぐ効果が増大する。
【００１５】
〔請求項５〕
また本発明は、物品にボルト孔を形成し、被固定物体に雌ねじを形成し、前記ボルト孔から挿入したボルトを前記雌ねじに螺着して物品を被固定物体に固定する物品の固定方法であって、前記ボルト孔の周囲にボルト頭部が収納される凹部を形成し、該凹部内のボルト頭部に対して、前記請求項１〜４のいずれかに記載の盗難防止具を装着することを特徴とするボルト固定物品の盗難防止方法である。
【００１６】
〔請求項６〕
また本発明は、物品にボルト孔を形成し、被固定物体にボルトを突設し、前記ボルト孔に前記ボルトを挿入した後該ボルトにナットを螺着して物品を被固定物体に固定する物品の固定方法であって、前記ボルト孔の周囲にナットが収納される凹部を形成し、該凹部内のナットに対して、前記請求項１〜４のいずれかに記載の盗難防止具を装着することを特徴とするナット固定物品の盗難防止方法である。
【００１７】
ボルト孔の周囲にボルト頭部又はナットが収納される凹部を形成し、凹部内のボルト頭部又はナットに対して盗難防止具を装着することで、盗難防止具が凹部内に収納され、盗難防止具を外すのが更に困難になる。凹部の平面形状に制限はないが円形や四辺形が好ましく、凹部の内周と盗難防止具の外周の隙間が小さいほど、盗難防止具の取り外しが困難になる。
凹部の深さは、ボルト頭部又はナットの全高が収納されるようにすることが望ましいが、全高でなく一部が収納されるような深さであっても、相応の効果が期待できる。
【００１８】
〔請求項７〕
また本発明は、前記被固定物体が溝状又は箱状構造物であり、前記物品が蓋である請求項５又は６に記載の物品の盗難防止方法である。
【００１９】
被固定物体及び物品はどのようなものでも良いが、例えば、被固定物体として溝状又は箱状構造物、物品としてこれらの蓋を挙げることができる。
溝状構造物は、例えば道路の側溝などである。箱状構造物は、例えば雨水桝や集水桝などである。
【発明の効果】
【００２０】
本発明の盗難防止具は、ボルト頭部又はナットの外周部に容易に装着することができ、樹脂製であるため安価に製造できる。装着された盗難防止具は外周面が円筒形であるため、どのような治具を用いてもボルト又はナットを回転することが困難になり、ボルト又はナットで固定された物品の盗難防止効果が発揮される。
【図面の簡単な説明】
【００２１】
【図１】実施例の盗難防止具説明図である。
【図２】実施例盗難防止具の使用状態の説明図である。
【図３】実施例盗難防止具の使用状態の説明図である。
【図４】実施例盗難防止具の使用状態の説明図である。
【図５】実施例盗難防止具の使用状態の説明図である。
【図６】側溝とこれに固定した蓋の断面図である。
【図７】図６の要部拡大図である。
【図８】側溝蓋の端部平面図である。
【図９】他の実施例の盗難防止具の説明図である。
【図１０】グレーチングの平面図である。
【図１１】他の実施例の盗難防止具の下面図である。
【図１２】盗難防止具を装着したグレーチングの要部平面図である。
【図１３】盗難防止具を装着したグレーチングの要部断面図である。
【発明を実施するための形態】
【００２２】
図１は、実施例の盗難防止具１の平面図、底面図、側面図及びＡ−Ａ線断面図である。盗難防止具１は樹脂製で、上端が天板４で閉塞された筒状をなし、筒壁の水平断面における外周形状は円形で、内周部には水平断面が六角形状の嵌合部２が形成されている。嵌合部２の内径ｄ１はボルト頭部の外径Ｄ（図２）及びナットの外径Ｄ（図３）よりも若干（０〜０．５ｍｍ程度）小さくなっている。
嵌合部２の下方は、ボルト頭部又はナットの径（Ｄ）よりも若干（０．２〜２ｍｍ程度）大きな内径ｄ２を有する導入部３となっている。
【００２３】
次に、図２に基づいて、被固定物体にボルトで固定された物品の盗難防止方法について説明する。被固定物体６には雌ねじ６ａが穿孔され、物品７にはボルト孔７ａが貫通されている。物品７を、雌ねじ６ａとボルト孔７ａの位置が合うように被固定物体６の上に載せ、ボルト５をボルト孔７ａから挿入して雌ねじ６ａに螺着し、物品７を被固定物体６に固定する。次に、盗難防止具１をボルト頭部５ａに被せる。下方の導入部３の内径がボルト頭部の外径よりも大きいので、図２上段に示すように、導入部まではボルト頭部の上部を盗難防止具の中に容易に導入することができる。図２の上段の状態から、盗難防止具１の上面をハンマーなどで叩くと、ボルト頭部よりも小さな内径の嵌合部２が樹脂の弾性により広がり、図２の下段に示すようにボルト頭部が嵌合部に押し込まれ、盗難防止具１の装着が完了する。
これにより、ラチェットやスパナなどのいかなる工具を用いてもボルトを回転させることができず、物品７の盗難が防止される。
【００２４】
図３は、物品７のボルト孔７ａの周囲にボルト頭部５ａが収納される凹部７ｂを形成した場合である。この場合、ボルト頭部５ａ及び盗難防止具１が凹部７ｂに収納される以外は、図２と全く同様に盗難防止具１がボルト頭部５ａに装着される。
【００２５】
次に、図４に基づいて、被固定物体にナットで固定された物品の盗難防止方法について説明する。被固定物体６にはボルト５が表面から突出するように埋め込まれ、物品７にはボルト孔７ａが貫通されている。物品７を、ボルト５がボルト孔７ａを挿通するようにして被固定物体６の上に載せ、ナット８をボルト５に螺着して物品７を被固定物体６に固定する。次に、盗難防止具１をナット８に被せる。下方の導入部３の内径がナットの外径よりも大きいので、図４上段に示すように、導入部まではナット上部を盗難防止具の中に容易に導入することができる。図４の上段の状態から、盗難防止具１の上面をハンマーなどで叩くと、ナットよりも小さな内径の嵌合部２が樹脂の弾性により広がり、図４の下段に示すようにナットが嵌合部に押し込まれ、盗難防止具１の装着が完了する。
これにより、ラチェットやスパナなどのいかなる工具を用いてもナットを回転させることができず、物品７の盗難が防止される。
【００２６】
図５は、物品７のボルト孔７ａの周囲にナット８が収納される凹部７ｂを形成した場合である。この場合、ナット８及び盗難防止具１が凹部７ｂに収納される以外は、図４と全く同様に盗難防止具１がナット８に装着される。
【００２７】
図６〜８は、被固定物体としてコンクリート製の側溝９、物品として側溝の蓋１０に本発明を適用した例を示している。側溝９は断面がＵ字状をなす、いわゆるＵ字溝で、対向する両側壁の上面に雌ねじが形成されたインサート９ａが埋設されている。蓋１０は鋳鉄製で、四隅にボルト孔１０ａが貫通され、その周囲の表面側に凹部１０ｂが凹設されている。側溝９に蓋１０を被せ、ボルト５をボルト孔１０ａからインサート９ａに螺着し、蓋１０を固定する。その後、盗難防止具１をボルト頭部５ｂに装着している。なお、図７において符号１１はワッシャーである。
【００２８】
雨水桝や集水桝のような箱状の構造物の場合でも、その周壁の上面に雌ねじを設け、蓋にボルト孔、凹部を設けることで、図７に示されるのと同様に盗難防止具を装着し、蓋の盗難を防止することができる。
【００２９】
図９に示される盗難防止具１Ａは、天板を有しない点を除いて、図１の盗難防止具１と全く同様の構成を有するものである。盗難防止具１Ａも、前記盗難防止具１と同様にボルト頭部又はナットに装着し、物品の盗難を防止できる。
【００３０】
図１０〜１３は、被固定物体としてコンクリート製の側溝９、物品として側溝の蓋であるグレーチング１２に本発明を適用した例を示している。側溝９は断面がＵ字状をなす、いわゆるＵ字溝で、対向する両側壁の上部に内側が切欠した蓋受部が形成され、該蓋受部の蓋受面に、内周面に雌ねじが形成されたインサート９ａが埋設されている。
【００３１】
グレーチング１２は金属製で、外枠板１３、主部材１４及び連結材１５を溶接して作成されており、４隅部に平面形状が四辺形の凹部１２ｂが設けられ、その底面にボルト孔１２ａが貫通している。
【００３２】
グレーチング１２は、図１３に示されるように、側溝９の蓋受面に載せ、ボルト５をボルト孔１２ａからインサート９ａに螺着して固定する。その後、盗難防止具１Ｂをボルト頭部に装着する。
【００３３】
盗難防止具１Ｂは、平面形状が凹部１２ｂと相似の四辺形で、内周部分は、前記盗難防止具１と全く同じ嵌合部２及び導入部３が形成されている。図１２に示されるように、盗難防止具１Ｂは凹部１２ｂ内で回転不能であるから、結局ボルト５も回転不能であり、グレーチングの盗難が防止される。
【産業上の利用可能性】
【００３４】
本発明の盗難防止具及び盗難防止方法は、前記の実施例に限らず、ボルト又はナットで固定したあらゆる物品の盗難防止に適用することができる。
【符号の説明】
【００３５】
１  盗難防止具
１Ａ  盗難防止具
１Ｂ  盗難防止具
２  嵌合部
３  導入部
４  天板
５  ボルト
５ａ  ボルト頭部
６  被固定物体
６ａ  雌ねじ
７  物品
７ａ  ボルト孔
７ｂ  凹部
８  ナット
９  側溝
９ａ  インサート
１０  蓋
１０ａ  ボルト孔
１０ｂ  凹部
１１  ワッシャー
１２  グレーチング
１２ａ  ボルト孔
１２ｂ  凹部
１３  外枠板
１４  主部材
１５  連結材
【図１】
2012241340.tif 000003
【図２】
2012241340.tif 000004
【図３】
2012241340.tif 000005
【図４】
2012241340.tif 000006
【図５】
2012241340.tif 000007
【図６】
2012241340.tif 000008
【図７】
2012241340.tif 000009
【図８】
2012241340.tif 000010
【図９】
2012241340.tif 000011
【図１０】
2012241340.tif 000012
【図１１】
2012241340.tif 000013
【図１２】
2012241340.tif 000014
【図１３】
2012241340.tif 000015